(57)【要約】      （修正有）【課題】電気かみそりにおいて、きわ剃りユニットの使用時にかみそりヘッドが本体部に対して左右傾動するのを規制して、可動刃に対する動力の伝動を効率よく行なう。【解決手段】きわ剃りユニット６をユニット操作体８３で使用姿勢に切換えた状態において、かみそりヘッド２の本体部１に対する変位を規制する規制構造を備えている。規制構造が、棒状の規制体８４と、規制体８４が係合する穴状または溝状の規制ガイド８６とで構成されて、その一方がユニット操作体８３の側に、他方がかみそりヘッド２の側に設けられている。ユニット操作体８３が、本体部１でスライド可能に支持される操作ノブ８３で構成されている。きわ剃りユニット６を操作ノブ８３で使用姿勢に切換え操作した状態において、規制体８４と規制ガイド８６とが係合して、かみそりヘッド２の傾動を規制する。【選択図】図１
2014033771.tif 000002
【特許請求の範囲】
【請求項１】
かみそりヘッド（２）が本体部（１）に対して少なくとも左右傾動可能に支持されており、本体部（１）の周囲にきわ剃りユニット（６）を配置している電気かみそりであって、
きわ剃りユニット（６）を待機姿勢から使用姿勢に切換えた状態において、かみそりヘッド（２）側の往復動力が伝動機構を介してきわ剃りユニット（６）の可動刃（４８）に伝動されるように構成されており、
きわ剃りユニット（６）をユニット操作体（８３）で使用姿勢に切換えた状態において、かみそりヘッド（２）の本体部（１）に対する変位を規制する規制構造を備えており、
規制構造が、棒状の規制体（８４）と、規制体（８４）が係合する穴状または溝状の規制ガイド（８６）とで構成されて、その一方がユニット操作体（８３）の側に、他方がかみそりヘッド（２）の側に設けられており、
ユニット操作体（８３）が、本体部（１）でスライド可能に支持される操作ノブ（８３）で構成されており、
きわ剃りユニット（６）を操作ノブ（８３）で使用姿勢に切換え操作した状態において、規制体（８４）と規制ガイド（８６）とが係合して、かみそりヘッド（２）の傾動を規制することを特徴とする電気かみそり。
【請求項２】
規制体（８４）および規制ガイド（８６）の少なくともいずれか一方の係合始端に係合案内面（８７）を形成していることを特徴とする請求項１に記載の電気かみそり。
【請求項３】
きわ剃りユニット（６）を操作ノブ（８３）で使用姿勢に切換え操作した状態において、規制体（８４）または規制ガイド（８６）によりかみそりヘッド（２）をきわ剃りユニット（６）側に引寄せ操作することを特徴とする請求項１または２に記載の電気かみそり。
【発明の詳細な説明】
【技術分野】
【０００１】
本発明は、かみそりヘッドが本体部に対して少なくとも左右傾動可能に支持されており、さらにきわ剃り刃を備えている電気かみそりに関する。
【背景技術】
【０００２】
きわ剃り刃を備えている電気かみそりにおいては、きわ剃りユニットを使用姿勢に切換えた状態でのみ往復動力をきわ剃り刃の可動刃に伝動して、動力の無駄な消費を避けており、この種の伝動構造は例えば特許文献１に見ることができる。詳しくは、かみそりヘッドの側に、内刃駆動軸に連動して往復動する逆Ｌ字状の伝動アームを設け、きわ剃りユニットの側に、伝動アームの動力を中継して可動刃に伝動する駆動アームを設けている。きわ剃りユニットを使用姿勢に切換えると、駆動アームの下端に設けた受動ピンが上昇して伝動アームの下端に設けた駆動溝と係合し、伝動アームの往復動作を受継いで可動刃に伝動できる。
【０００３】
本発明においては、きわ剃りユニットの使用時に、かみそりヘッドが本体部に対して左右傾動するのを規制して、往復動力の伝動効率を向上するが、この種の電気かみそりは特許文献２に公知である。そこでは、外刃を支持する刃枠を本体部に装着される第１刃枠と、同枠で左右傾動と上下スライド可能に支持された第２刃枠とで構成している。トリマー刃をスライド操作片で使用姿勢に切換えた状態では、揺動防止片が第２刃枠の上端内面を受止めて、第２刃枠の揺動と上下スライドとを規制できる。揺動防止片は、トリマー刃を支持するホルダーに設けてあり、スライド操作片およびトリマー刃の上下スライドに同行して昇降移動できる。多くの場合、スライド操作片は不使用位置、および使用位置において節度構造によって位置保持されている。
【先行技術文献】
【特許文献】
【０００４】
【特許文献１】特開２０１０−０７５２２９号公報（段落００４６、図１１）
【特許文献１】特開２００５−３０４７９３号公報（段落００１６第５文、図３）
【発明の概要】
【発明が解決しようとする課題】
【０００５】
特許文献２の電気かみそりによれば、きわ剃りユニットの使用時に、かみそりヘッドが本体部に対して前後左右に揺動し、あるいは上下スライドするのを揺動防止片で規制できる。そのため、この種の傾動規制構造を備えていない電気かみそりに比べると、メイン内刃の往復動力の伝動をより確実に行って、動力の伝動効率を向上できる。しかし、揺動防止片が第２刃枠の上端内面を単に受止めることで第２刃枠の動きを規制しているので、上下スライドの規制は可能となるが、揺動（左右揺動或いは前後揺動）については、ガタつきが生じる可能性が高く、ガタつきが生じればトリマー刃に対する動力の伝動を効率よく行なうことは難しい。
【０００６】
本発明の目的は、きわ剃りユニットの使用時に、かみそりヘッドが本体部に対して左右傾動するのを規制して、可動刃に対する動力の伝動を効率よく行なうことができる電気かみそりを提供することにある。
【課題を解決するための手段】
【０００７】
本発明に係る電気かみそりは、かみそりヘッド２が本体部１に対して少なくとも左右傾動可能に支持されており、本体部１の周囲にきわ剃りユニット６を配置している電気かみそりである。きわ剃りユニット６を待機姿勢から使用姿勢に切換えた状態において、かみそりヘッド２側の往復動力が伝動機構を介してきわ剃りユニット６の可動刃４８に伝動されるように構成されている。きわ剃りユニット６をユニット操作体８３で使用姿勢に切換えた状態において、かみそりヘッド２の本体部１に対する変位を規制する規制構造を備えており、規制構造が、棒状の規制体８４と、規制体８４が係合する穴状または溝状の規制ガイド８６とで構成されて、その一方がユニット操作体８３の側に、他方がかみそりヘッド２の側に設けられている。ユニット操作体８３が、本体部１でスライド可能に支持される操作ノブ８３で構成されており、きわ剃りユニット６を操作ノブ８３で使用姿勢に切換え操作した状態において、規制体８４と規制ガイド８６とが係合して、かみそりヘッド２の左右傾動を規制することを特徴とする。
【０００８】
規制体８４および規制ガイド８６の少なくともいずれか一方の係合始端に係合案内面８７を形成していることを特徴とする。
【０００９】
きわ剃りユニット６を操作ノブ８３で使用姿勢に切換え操作した状態において、規制体８４または規制ガイド８６によりかみそりヘッド２をきわ剃りユニット６側に引寄せ操作することを特徴とする。
【発明の効果】
【００１０】
本発明の電気かみそりにおいては、きわ剃りユニット６の使用時に、かみそりヘッド２が本体部１に対して左右傾動するのを規制構造で規制するので、かみそりヘッド２ときわ剃りユニット６との間の動力伝動部における動力損を抑止でき、従ってきわ剃りユニット６の可動刃４８に対する往復動力の伝動を効率よく行なうことができる。
【００１１】
また、規制構造が、棒状の規制体８４と、規制体８４が係合する穴状または溝状の規制ガイド８６とで構成されているので、きわ剃りユニット６の可動刃４８に対する往復動力の伝動をより効率よく行なうことができる。これは、穴状または溝状の規制ガイド８６に棒状の規制体８４が差し込まれることで、左右傾動の規制とともに前後傾動の規制を同時に行うことができるからである。つまり左右傾動に加えて前後傾動をもガタつきなく規制でき、その分伝動ロスを防止できるからである。なお、この構造であれば、全方位方向に傾動可能なかみそりヘッド２であっても、全方位への傾動を規制できるのはもちろんのことである。これは規制体８４に外嵌する規制ガイド８６で、規制体８４の全方位方向への変位を規制できるからである。
【００１２】
規制体８４および規制ガイド８６の少なくともいずれか一方の係合始端に係合案内面８７が形成してあると、規制体８４と規制ガイド８６の中心位置がずれているような場合にも、係合案内面８７で位置ずれを矯正しながら規制体８４と規制ガイド８６を係合できる。従って、かみそりヘッド２が中立位置から僅かに左右傾動している状態であっても、規制体８４と規制ガイド８６を支障なく係合させて、かみそりヘッド２の左右傾動を確実に規制できる。
【００１３】
きわ剃りユニット６を操作ノブ８３で使用姿勢に切換え操作した状態において、規制体８４または規制ガイド８６によりかみそりヘッド２をきわぞりユニット６側に引寄せ操作した。これにより、かみそりヘッド２の全体をきわ剃りユニット６に接近させた状態で傾動不能に拘束できる。従って、伝動機構のきわ剃りユニット用の駆動軸３８と受動アーム４９との間のがたつきを抑止して、かみそりヘッド２ときわ剃りユニット６との間の往復動力の伝動効率をさらに向上できる。例えば、図１に示す規制体の場合には、規制体８４の係合軸８４ａの中心軸を規制ガイド８６の穴中心軸に対して、きわ剃りユニット６の側（後側）へ僅かに位置ずれさせて、規制体８４で規制ガイド８６を引寄せ操作できるようにしている。
【図面の簡単な説明】
【００１４】
【図１】実施例１に係る傾動規制構造を示す縦断側面図である。
【図２】実施例１に係る首振り構造を示す縦断正面図である。
【図３】実施例１に係る傾動規制構造の規制状態を示す縦断側面図である。
【図４】実施例２に係る傾動規制構造を示す縦断側面図である。
【図５】実施例３に係る傾動規制構造を示す縦断側面図である。
【図６】実施例３に係る傾動規制構造の規制状態を示す縦断側面図である。
【図７】実施例４に係る傾動規制構造を示す縦断側面図である。
【図８】実施例４に係る傾動規制構造の規制状態を示す縦断側面図である。
【発明を実施するための形態】
【実施例】
【００１５】
（実施例１）図１ないし図３は、本発明に係る電気かみそりの実施例を示す。なお、本発明における前後、左右、上下とは、図１、図２に示す交差矢印と、各矢印の近傍に表記した前後、左右、上下の表示に従う。図２において電気かみそりは、グリップを兼ねる本体部１と、本体部１に組込まれるかみそりヘッド２とで構成している。本体部１の前面のスイッチパネルにはモーター起動用のスイッチノブ（スイッチ操作具）４と、電気かみそりの運転状態を表示する表示部が設けてある。本体部１の後面（背面）にはきわ剃りユニット６が設けてある。きわ剃りユニット６は、主としてもみあげ部分や髪の生え際を切揃える際に使用するが、例えばあごに生えた長毛やくせ毛を切断する際にも使用することができる。
【００１６】
本体部１は、外ケース５と、外ケース５の内部に設けられる内ケース９とを有している。外ケースの前面にスイッチパネルが設けられ、後面にきわ剃りユニット６が設けられている。内ケース９の内部には回路基板と２次電池などが組み込まれており、回路基板には、先のスイッチノブ４で切換え操作されるスイッチや、制御回路を構成する電子部品、および表示部の光源となる４個のＬＥＤなどが実装してある。スイッチノブ４を上向きにスライドすると、スイッチをオン状態に切換えてモーター１４を起動できる。
【００１７】
図１および図２に示すようにかみそりヘッド２は、ヘッドベース１３と、ヘッド支持体１０と、３個の切断刃で構成される切断刃部１１とヘッド支持体１０に対して着脱される固定刃ホルダー１２などで構成してある。ヘッド支持体１０は、振動子ケースを兼ねるヘッドベース１３に固定されており、ヘッドベース１３はその下面に固定したモーター１４およびモーターホルダー１５と共に、首振り機構で左右および前後傾動可能に、かつ上下動可能に支持してある。この実施例では、モーターホルダー１５の左右に設けた遊動脚１７を内ケース９の環状枠９ａで支持し、さらにモーターホルダー１５と内ケース９との間に圧縮コイルばねからなる遊動ばね１８を配置して、かみそりヘッド２の全体を左右および前後傾動可能に、かつ上下動可能に支持した。遊動脚１７の下端には、環状枠９ａで受止められる係合爪１７ａが設けてある。モーター１４および回路基板を含む電装品ユニットは、ヘッドベース１３と内ケース９との間に設けたシール体１６で密封してある（図１、２参照）。首振り機構としては、本体部１とかみそりヘッド２との間に形成された傾動隙間を詰めることで、前後傾動はせずに、左右傾動および上下動可能な構成とすることができる。かみそりヘッド２が本体部１に対して左右傾動または／および前後傾動可能とすれば、かみそりヘッド２を肌の面変化に追随させることができる。したがって、かみそりヘッド２の切断刃部１１を肌に常に密着する状態で追随でき、ひげを効果的に切断できる。かみそりヘッド２が本体部１に対して上下動可能とすれば、かみそりヘッド２を肌の凹凸に追随させることができる。したがって、かみそりヘッド２の切断刃部１１を肌に常に適正な押圧力で密着させることができ、肌への負担を軽減できる。
【００１８】
切断刃部１１を構成する各切断刃は、仕上げ剃り用の第１切断刃２０と、粗剃り用の第２切断刃２１と、仕上げ剃り用の第３切断刃２２とからなり、かみそりヘッド２の後側から前側へ向かって記載順に配置してある。粗剃り用の第２切断刃２１は、主に長毛やくせ髭を切断するために設けられており、いずれも固定刃２７および可動刃２８のそれぞれがスリット刃で形成してある。仕上げ剃り用の第１切断刃２０と第３切断刃２２は、短毛を仕上げ切断するために設けられており、いずれも固定刃２５・２９が網刃で形成され、可動刃２６・３０がスリット刃で形成してある。
【００１９】
かみそりヘッド２に設けた各切断刃２０〜２２の可動刃を駆動するために、モーター１４と各可動刃２６・２８・３０との間に、モーター１４の回転動力を往復動力に変換して各可動刃２６・２８・３０に伝動する駆動構造を設けている。図１に示すように駆動構造は、モーター１４の出力軸に固定される偏心カム３１と、偏心カム３１で互いに逆向きに駆動される２個の振動子３２と、各振動子３２・３２の往復動力を各可動刃２６・２８・３０に伝動する３個の駆動軸などで構成する。
【００２０】
駆動軸は、第１切断刃２０の可動刃２６と第３切断刃２２の可動刃３０とを駆動する第１駆動軸３５・３７と、第２切断刃２１の可動刃２８とを駆動する第２駆動軸３６とからなる。第１駆動軸３５・３７は、振動子３２・３２と一体に成形されており、第２駆動軸３６は第１駆動軸３７に固定してある。後側の振動子３２には、きわ剃りユニット６に往復動力を伝動する第３駆動軸（きわ剃りユニット用の駆動軸）３８が一体に設けてある（図３参照）。第３駆動軸３８は、後側の振動子３２から後向きに連出されており、その下端に断面コ字状の連結片３９が一体に形成してある。第１駆動軸３５・３７の内部には、可動刃２６・３０を押し上げ付勢する内刃ばねが配置してある。図２において符号４１は固定刃ホルダー１２の装着状態をロック保持する爪をロック解除操作するための解除ボタンである。
【００２１】
ヘッド支持体１０はヘッドベース１３の上部周面を囲む枠体からなり、その上面がカバーで覆われている。カバーには、先の第１駆動軸３５・３７を突出させるための出力開口が形成してあり、この開口と第１駆動軸３５・３７との間を振動子パッキンで塞いで、毛屑などがヘッドベース１３の内部に入り込むのを防止している。カバーの上面と固定刃ホルダー１２とで囲まれる空間が毛屑収容空間となる。
【００２２】
図１において、きわ剃りユニット６は、きわ剃りケース４６の内部にバリカン刃構造の固定刃４７および可動刃４８と、受動アーム４９とを組込んで構成してある。可動刃４８と受動アーム４９は連結されており、両者は左右方向に往復動自在にきわ剃りケース４６に支持されている。きわ剃りユニット６は、本体部１の後面上部に設けられた四角形状の装着部５１の内部に配置されており、その上部左右を一対の支軸５２で支持することにより、図１に示す待機位置と、図３に示す使用位置との間を揺動できる。きわ剃りユニット６を待機姿勢から使用姿勢に切換えるために、きわ剃りユニット６の下部に上下スライド自在な操作ノブ（ユニット操作体）８３を設けている。図３に示すように、操作ノブ８３を押上げ操作すると、きわ剃りユニット６を上方揺動させて、同ユニット６を使用姿勢に保持できる。操作ノブ８３を押下げ操作すると、きわ剃りユニット６を下方揺動させて、同ユニット６を待機姿勢に戻すことができる。きわ剃りユニット６が待機姿勢から使用姿勢に切換わった状態では、かみそりヘッド２側の往復動力が、第３駆動軸（きわ剃りユニット用の駆動軸）３８と受動アーム４９とからなる伝動機構を介して可動刃４８に伝動される。なお、伝動機構は、きわ剃りユニット６が使用位置にある場合はもちろん、待機位置にある場合にも往復動力がかみそりヘッド２側からきわ剃りユニット６へ伝動される、常時駆動型の伝動構造であってもよい。
【００２３】
以上のように少なくとも左右傾動および上下動が可能な首振り機構を備えた電気かみそりにおいて、第３駆動軸（きわ剃りユニット用の駆動軸）３８から受動アーム４９への往復動力の伝動効率が大きく低下する要因は、例えば、きわ剃りユニット６の切断刃に毛束が挟まれて大きな負荷が作用するとき、負荷の反作用でかみそりヘッド２のみが左右動して、きわ剃りユニット６の左右動をする可動刃４８を駆動できなくなるからである。また、かみそりヘッド２の左右動は、きわ剃りユニット６の切断刃に対する負荷が小さい場合でも、少なからず生じており、第３駆動軸３８から受動アーム４９への往復動力の伝動効率が低下するのを避けられない。
【００２４】
上記のような、第３駆動軸（きわ剃りユニット用の駆動軸）３８と受動アーム４９との間の往復動力の伝動ロスを解消するために、きわ剃りユニット６を使用する際に、かみそりヘッド２が本体部１に対して左右傾動するのを規制できるようにしている。
【００２５】
きわ剃りユニット６を使用姿勢に切換えた状態において、かみそりヘッド２の本体部１に対する変位を規制するために、操作ノブ８３とかみそりヘッド２の間に規制構造を設けている。この実施例における規制構造は、操作ノブ８３と一体に設けた左右一対のＬ字状の規制体８４と、モーターホルダー１５の左右の締結ボス部８５に設けた上下方向の貫通穴からなる規制ガイド８６とで構成する。規制体８４には上下方向に長い棒状の係合軸８４ａが設けてあり、規制ガイド８６の下端開口には、係合軸８４ａの係合を容易化する係合案内面８７が上すぼまりテーパー状（すり鉢状）に形成してある。係合軸８４ａの軸中心は規制ガイド８６の穴中心に対して、きわ剃りユニット６の側（後側）へ僅かに位置ずれする状態で設けてある。位置ずれの形態としては、係合軸８４ａの軸中心が、規制ガイド８６の穴中心軸に対して平行に位置ずれする場合と、係合軸８４ａの軸中心を僅かに後傾させる場合のいずれであってもよい。モーターホルダー１５と締結ボス部８５（規制ガイド８６）と遊動脚１７は一体形成されている。規制ガイド８６は断面円形の穴からなり、規制体８４の係合軸８４ａは、規制ガイド８６の穴径より僅かに小さい径の断面円形の棒状体からなる。また、規制ガイド８６の穴は、その周囲の一部が開放されていたり、或いは周囲に間隔をあけて配置されたスリットが形成されていても、規制能力さえあれば、その形態は種々変更できる。また、規制体８４の棒状体は、実施例のように棒の径よりも軸の長さの方が大きい長軸状の棒に限定されるものではなく、棒の軸の長さよりも棒の径の方が大きい形態を含む概念である。また、本実施例では、操作ノブ８３と規制体８４とをプラスチックによって一体に成形した構成であるが、独立部品として形成した規制体８４を操作ノブ８３に対して、係合固定し、溶着固定し、あるいは締結固定するなどにより一体化した構成であってもよい。例えば、金属製の規制体８４を操作ノブ８３にインサート成形した構成、或いは金属製の規制体８４の一端側に貫通孔を設け、当該貫通孔に操作ノブ８３側に形成した突起を挿通した後、溶着固定する構成など種々考えられる。
【００２６】
操作ノブ８３が下方の待機位置にあるとき、係合軸８４ａの上端は締結ボス部８５の下方において係合案内面８７と隙間を介して対向しており、従って、かみそりヘッド２は左右および前後へ傾動でき、さらに上下動できる。このときの規制ガイド８６の下端開口縁と係合軸８４ａの上端との間の距離とかみそりヘッド２の上下動ストロークＨ１は同じ３ｍｍである。図１に示すように、操作ノブ８３を待機位置から使用位置まで押上げ操作すると、きわ剃りユニット６が使用姿勢に切換わって、その受動アーム４９が第３駆動軸（きわ剃りユニット用の駆動軸）３８に連結される。さらに、規制体８４の係合軸８４ａが係合案内面８７に案内されて規制ガイド８６と係合して、かみそりヘッド２の左右傾動および前後傾動するのを規制する。また、係合軸８４ａの軸中心が規制ガイド８６の穴中心軸に対して、後側へ位置ずれさせてあるので、係合軸８４ａが規制ガイド８６と係合した状態では、モーターホルダー１５をきわ剃りユニット６側へ引寄せ操作して、かみそりヘッド２の全体をきわ剃りユニット６に接近した状態で拘束できる。従って、伝動機構の第３駆動軸３８と受動アーム４９との間のがたつきを抑止して、両者３８・４９間の動力の伝動効率を向上することができる。なお、この規制状態においても、かみそりヘッド２は上下動できる。このように、かみそりヘッド２の上下動を許容しながら、左右傾動および前後傾動を規制するので、切断刃部１１によるひげ切断と、きわ剃りユニット６によるひげ切断を併用する場合であっても、切断刃部１１に作用する無理な外力を逃がすことができる。したがって、きわ剃りユニット６が不用意に待機姿勢（使用不能状態）になるのを防止できる。規制ガイド８６は貫通穴に限らない。きわ剃りユニット６を使用姿勢に切換えて、かみそりヘッド２の左右および前後傾動を規制したとき、かみそりヘッド２の上下動を可能にする穴の距離があれば袋小路状（行き止まり）の穴であってもよい。
【００２７】
操作ノブ８３および規制体８４は、待機位置から上向きに距離（上下方向のスライドストローク）Ｈ２だけ移動してきわ剃りユニット６を使用姿勢に切換える。このときのスライドストロークＨ２は５ｍｍである。このように、かみそりヘッド２の本体部１に対する上下動ストロークＨ１は、操作ノブ８３の上下方向のスライドストロークＨ２より小さく設定してあるので、切断刃部１１によってひげ剃りを行うとき、上下動するかみそりヘッド２が規制体８４と接当干渉することはない。なお、操作ノブ８３が下方の待機位置にあるときの規制ガイド８６の下端開口縁と係合軸８４ａの上端との間の距離よりかみそりヘッド２の上下動ストロークＨ１を僅かに小さく設定する方が、上下動するかみそりヘッド２が規制体８４と接当干渉することを確実に防止でき、より好ましい。
【００２８】
（実施例２）実施例１では操作ノブ８３に長い棒状の規制体８４を設け、かみそりヘッド２の側に穴状の規制ガイド８６を設けたが、図４に示すように逆の構成を採用することができる。詳しくは、モーターホルダー１５の締結ボス部８５の左右に、下向きに延びる丸棒状の規制体８４を一体に設け、操作ノブ８３の内面の左右にボス８８を一体に設けて、ボス８８に丸穴からなる規制ガイド８６を設けることができる。規制ガイド８６の上端開口には、下すぼまりテーパー状（すり鉢状）の係合案内面８７を形成する。このように、規制体８４と規制ガイド８６は、かみそりヘッド２と操作ノブ８３のいずれの側に設けてあってもよい。この実施例においても、実施例１と同様に、規制ガイド８６の穴中心を規制体８４の軸中心に対して後側へ位置ずれさせておくことにより、規制ガイド８６と規制体８４が係合した状態では、モーターホルダー１５をきわ剃りユニット６側へ引寄せ操作して、かみそりヘッド２の全体をきわ剃りユニット６に接近した状態で拘束できる。これにより、伝動機構の第３駆動軸（きわ剃りユニット用の駆動軸）３８と受動アーム４９との間のがたつきを抑止して、両者３８・４９間の動力の伝動効率を向上することができる。実施例２以下の実施例において、実施例１と同じ符号のものは同じ機能を持つ部材として解釈するものとする。
【００２９】
（実施例３）図５および図６は本発明に係る実施例３を示す。実施例３に係る電気かみそりにおいては、実施例１と同様に、かみそりヘッド２の全体が図示していない首振り機構で左右および前後傾動可能に、かつ上下動可能に支持してある。また、きわ剃りユニット６は、本体部１で下方の待機位置と、上方の使用位置との間で上下スライド自在に支持してある。操作ノブ８３の上端には、きわ剃りケース４６が固定してあり、固定刃４７と可動刃４８とがきわ剃りケース４６から後向きに突出する状態で配置してある。操作ノブ８３を押上げ操作すると、きわ剃りユニット６の全体が上方移動して使用姿勢に保持され、その受動アーム４９が第３駆動軸（きわ剃りユニット用の駆動軸）３８に連結されて、往復動力を伝動できる状態になる。この実施例から理解できるように、きわ剃りユニット６は、操作ノブ８３と一体に設けられて操作ノブ８３の上向きスライドにともなって上向きにスライドし使用姿勢に切換わる形態であってもよく、きわ剃りユニット６が揺動変位して使用姿勢に切換わる形態である必要はない。
【００３０】
きわ剃りユニット６を使用姿勢に切換えた状態において、かみそりヘッド２の本体部１に対する変位を規制するために、操作ノブ８３の内面に左右一対のＬ字状の規制体８４を設けている。規制体８４の係合軸８４ａは断面四角形となっている。さらに、モーター１４の全体を収容するモーターホルダー１５の左右両側に、上下方向に長い断面矩形状の溝からなる規制ガイド８６を設け、規制ガイド８６の下端に係合案内面８７を上すぼまりテーパー状に設けている。モーターホルダー１５の下端の前後には、かみそりヘッド２の上方への進出限界を規定する左右一対ずつの係合脚８９が設けてある。規制体８４と規制ガイド８６の上下の位置関係は実施例１と同じに設定してある。このように、かみそりヘッド２の上下動を許容しながら、左右傾動、および前後傾動を規制する規制構造は、モーター１４の支持構造やかみそりヘッド２の首振り構造の違いに応じて、種々に変更した構造で実施することができる。この実施例においても、実施例１と同様に、規制体８４の係合軸８４ａの軸中心を、規制ガイド８６の穴中心に対して後側へ位置ずれさせておくことにより、図６に示すように、係合軸８４ａが規制ガイド８６に係合した状態では、モーターホルダー１５をきわ剃りユニット６側へ引寄せ操作して、かみそりヘッド２の全体をきわ剃りユニット６に接近した状態で拘束できる。これにより、伝動機構の第３駆動軸（きわ剃りユニット用の駆動軸）３８と受動アーム４９との間のがたつきを抑止して、両者３８・４９間の動力の伝動効率を向上することができる。
【００３１】
（実施例４）図７および図８は本発明に係る実施例４を示す。この実施例においては、操作ノブ８３を上方の待機位置から下方の使用位置までスライド操作することにより、きわ剃りユニット６が図７に示す待機姿勢から、図８に示す使用姿勢に切換わるようにした。詳しくは、きわ剃りケース４６の上端の前面側にブラケット１０１を設け、操作ノブ８３とブラケット１０１をリンク棒１０２を介して連結した。また、操作ノブ８３に同行して上下揺動する中継レバー１０３と、中継レバー１０３で上下操作される規制体８４と、モーターホルダー１５に設けられる丸穴状の規制ガイド８６とで規制構造を構成して、かみそりヘッド２の本体部１に対する変位を規制できるようにした。符号１０４は中継レバー１０３を揺動自在に支持するレバー軸である。規制体８４は、内ケースに設けたガイド突起１０５で上下スライドのみ可能に支持してある。
【００３２】
不使用状態のきわ剃りユニット６は、きわ剃りケース４６が垂直姿勢になっており、この状態から操作ノブ８３を押下げ操作すると、その動作がリンク棒１０２を介してブラケット１０１に伝動されるため、きわ剃りケース４６は水平の使用姿勢に切換わり、受動アーム４９が第３駆動軸（きわ剃りユニット用の駆動軸）３８に連結される。同時に、中継レバー１０３が時計回転方向へ揺動して、規制体８４を上向きに移動させ、その上端を規制ガイド８６に係合させて、かみそりヘッド２の左右傾動および前後傾動を規制する。そのときかみそりヘッド２は上下動可能となっている。なお、上記実施例１、２、３、４に係る電気かみそりのかみそりヘッド２は前後傾動する必要はなく、少なくとも左右傾動できる首振り機構で支持してあればよい。
【００３３】
上記実施例に係る電気かみそりは以下の態様で実施することができる。
かみそりヘッド２が本体部１に対して少なくとも左右傾動可能に支持されており、本体部１の周囲にきわ剃りユニット６を配置している電気かみそりであって、
きわ剃りユニット６を待機姿勢から使用姿勢に切換えた状態において、かみそりヘッド２側の往復動力が伝動機構を介してきわ剃りユニット６の可動刃４８に伝動されるように構成されており、
きわ剃りユニット６をユニット操作体８３で使用姿勢に切換えた状態において、かみそりヘッド２の本体部１に対する変位を規制する規制構造を備えており、
規制構造が、棒状の規制体８４と、規制体８４が係合する穴状または溝状の規制ガイド８６とで構成されて、その一方がユニット操作体８３の側に、他方がかみそりヘッド２の側に設けられており、
ユニット操作体８３が、本体部１で上下スライド可能に支持される操作ノブ８３で構成されており、
きわ剃りユニット６を操作ノブ８３で使用姿勢に切換え操作した状態において、規制体８４と規制ガイド８６とが係合して、かみそりヘッド２の左右傾動を規制することを特徴とする。
これにより、きわ剃りユニット６の使用時に、かみそりヘッド２が本体部１に対して左右傾動するのを規制構造で規制するので、かみそりヘッド２ときわ剃りユニット６との間の動力伝動部における動力損を抑止でき、従ってきわ剃りユニット６の可動刃４８に対する往復動力の伝動を効率よく行なうことができる。また、規制構造が、棒状の規制体８４と、規制体８４が係合する穴状または溝状の規制ガイド８６とで構成されているので、きわ剃りユニット６の可動刃４８に対する往復動力の伝動をより効率よく行なうことができる。これは、穴状または溝状の規制ガイド８６に棒状の規制体８４が差し込まれることで、左右傾動の規制とともに前後傾動の規制を同時に行うことができるからである。つまり左右傾動に加えて前後傾動をもガタつきなく規制でき、その分伝動ロスを防止できるからである。なお、この構造であれば、全方位方向に傾動可能なかみそりヘッド２であっても、全方位への傾動を規制できるのはもちろんのことである。これは規制体８４に外嵌する規制ガイド８６で、規制体８４の全方位方向への変位を規制できるからである。
【００３４】
上記構成において、規制体８４および規制ガイド８６の少なくともいずれか一方の係合始端に係合案内面８７を形成していることを特徴とする。
これにより、規制体８４と規制ガイド８６の中心位置がずれているような場合にも、係合案内面８７で位置ずれを矯正しながら規制体８４と規制ガイド８６を係合できる。従って、かみそりヘッド２が中立位置から僅かに左右傾動している状態であっても、規制体８４と規制ガイド８６を支障なく係合させて、かみそりヘッド２の左右傾動を確実に規制できる。
【００３５】
上記構成において、きわ剃りユニット６を操作ノブ８３で使用姿勢に切換え操作した状態において、規制体８４または規制ガイド８６によりかみそりヘッド２をきわ剃りユニット６側に引寄せ操作したことを特徴とする。
これにより、かみそりヘッド２の全体をきわ剃りユニット６に接近させた状態で傾動不能に拘束できる。従って、伝動機構のきわ剃りユニット用の駆動軸３８と受動アーム４９との間のがたつきを抑止して、かみそりヘッド２ときわ剃りユニット６との間の往復動力の伝動効率をさらに向上できる。例えば、図１に示す規制体の場合には、規制体８４の係合軸８４ａの中心軸を規制ガイド８６の穴中心軸に対して、きわ剃りユニット６の側（後側）へ僅かに位置ずれさせて、規制体８４で規制ガイド８６を引寄せ操作できるようにしている。
【００３６】
上記構成において、かみそりヘッド２が本体部１に対して少なくとも左右傾動、および上下動可能に支持されており、本体部１の周囲にきわ剃りユニット６を配置している電気かみそりであって、
きわ剃りユニット６を待機姿勢から使用姿勢に切換えた状態において、かみそりヘッド２側の往復動力が伝動機構を介してきわ剃りユニット６の可動刃４８に伝動されるように構成されており、
きわ剃りユニット６をユニット操作体８３で使用姿勢に切換えた状態において、かみそりヘッド２の本体部１に対する変位を規制する規制構造を備えており、
規制構造は、規制体８４と、規制体８４に対して上下に相対スライド自在な規制ガイド８６とで構成されて、その一方がユニット操作体８３の側に、他方がかみそりヘッド２の側に設けてあり、
きわ剃りユニット６をユニット操作体８３で使用姿勢に切換えた状態において、規制体８４と規制ガイド８６とが係合してかみそりヘッド２の左右傾動を規制しながら、かみそりヘッド２の上下動は許すように構成することを特徴とする。
これにより、きわ剃りユニット６の使用時に、かみそりヘッド２が本体部１に対して左右傾動するのを規制構造で規制するので、かみそりヘッド２ときわ剃りユニット６との間の動力伝動部における動力損を抑止でき、従ってきわ剃りユニット６の可動刃４８に対する往復動力の伝動を効率よく行なうことができる。また、規制構造が、棒状の規制体８４と、規制体８４が係合する穴状または溝状の規制ガイド８６とで構成されているので、きわ剃りユニット６の可動刃４８に対する往復動力の伝動をより効率よく行なうことができる。これは、穴状または溝状の規制ガイド８６に棒状の規制体８４が差し込まれることで、左右傾動の規制とともに前後傾動の規制を同時に行うことができるからである。つまり左右傾動に加えて前後傾動をもガタつきなく規制でき、その分伝動ロスを防止できるからである。なお、この構造であれば、全方位方向に傾動可能なかみそりヘッド２であっても、全方位への傾動を規制できるのはもちろんのことである。これは規制体８４に外嵌する規制ガイド８６で、規制体８４の全方位方向への変位を規制できるからである。さらに、かみそりヘッド２の上下動は許容しているので、切断刃部１１によるひげ切断と、きわ剃りユニット６によるひげ切断を併用する場合であっても、切断刃部１１に作用する無理な外力を逃がすことができる。したがって、きわ剃りユニット６が不用意に待機姿勢（使用不能状態）になるのを防止できる。
【００３７】
電気かみそりによっては、本体部１の前面に設けたスイッチノブ（スライドノブ）４をオン操作するのに連動して、きわ剃りユニット６が使用姿勢に切換わり、第３駆動軸（きわ剃りユニット用の駆動軸）３８の往復動力をきわ剃りユニット６の可動刃４８に伝動する構造のものがある。その場合のスイッチノブ４は、上記の実施例で説明した操作ノブ（ユニット操作体）８３に相当するものとする。左右傾動のみの首振り機構を備えている電気かみそり或いは、左右傾動可能で、かつ上下動できる首振り機構を備えている電気かみそりの場合には、第３駆動軸３８の連結片３９と受動アーム４９との前後方向のガタ付きは小さい。しかし、規制構造でかみそりヘッド２を引寄せ操作することにより前後方向の僅かなガタ付きを解消して、連結片３９から受動アーム４９への往復動力の伝動を効率よく行なうことができる。本発明は、内刃のみで切断するタイプ、つまり外刃を備えていない電気かみそりにも適用できる。なお、上記実施例１、２、３、４に係る電気かみそりの規制構造は何れも、上下動は許容しながら、左右傾動および前後傾動を規制するものであるが、規制構造は、左右傾動、前後傾動および上下動のすべての変位を規制し、本体部１に対するかみそりヘッド２の動きを封じるロック方式の規制構造であってもよい。具体的には、規制構造が、棒状の規制体８４と、規制体８４が係合する穴状の規制ガイド８６とで構成されている場合、その穴の奥部に行き止まりの壁を設ける。そして穴状の規制ガイド８６に棒状の規制体８４が差し込まれた規制状態のとき、その行き止まりの壁に棒状の規制体８４の突端を突き当てる構成にする。
【符号の説明】
【００３８】
１  本体部
２  かみそりヘッド
６  きわ剃りユニット
１１  切断刃部
３８  第３駆動軸（きわ剃りユニット用の駆動軸）
３９  連結片
４７  固定刃
４８  可動刃
４９  受動アーム
５１  装着部
８３  操作ノブ
８４  規制体
８６  規制ガイド
８７  係合案内面
【図１】
2014033771.tif 000003
【図２】
2014033771.tif 000004
【図３】
2014033771.tif 000005
【図４】
2014033771.tif 000006
【図５】
2014033771.tif 000007
【図６】
2014033771.tif 000008
【図７】
2014033771.tif 000009
【図８】
2014033771.tif 000010